(57)【要約】      （修正有）【課題】針部の先端部分の撓り過ぎが抑制され、根管壁への側方圧が掛かりやすくなり、根管拡大等の効率が上がり、延いては感染象牙質等の取り残しが減る、歯科用ハンドピースに装着する根管治療用のファイルを提供する。【解決手段】所要形状のニッケル・チタン合金の細長い金属板に捻り加工が施されて成る根管治療用のファイル１００であって、当初捻り部１０３の長さが１６ｍｍ、先端径が１．２５ｍｍ、テーパー角が２／１００となるように捻り加工が施され、その後先端部から３ｍｍ分の切除部１０４が切除されて、最終的に針部１０２の捻り部１０３の長さが１３ｍｍと成された、根管治療用のファイル１００である。【選択図】図１
0003235293.tif 000002
【実用新案登録請求の範囲】
【請求項１】
テーパー角が２度となるように捻り加工を施して成る針部に付きその先端部から３ｍｍ分を切断して新たな先端部と成したことを特徴とする、根管治療用のファイル。
【請求項２】
前記新たな先端部に鑢を掛けて成る、請求項１に記載の根管治療用のファイル。
【請求項３】
少なくとも前記新たな先端部にメッキを施して成る、請求項１に記載の根管治療用のファイル。
【請求項４】
請求項１乃至請求項３の何れか一に記載の根管治療用のファイルを備えた歯科用ハンドピース。
【考案の詳細な説明】
【技術分野】
【０００１】  この考案は、歯科に於ける根管拡大の治療をすべく歯科用ハンドピースの先端部に取り付ける、根管治療用のファイルに関する。なおこの考案で言うファイルは、リーミング（広げる）のためのリーマに対するファイリング（やする）のためのファイルのことであるが、この考案ではこの差異を厳密に規定するものではなく、更にこれらに類似する治療用具を包含するものとする。
【背景技術】
【０００２】  歯科医師が患者の虫歯の根の壁面をこそぎ取ったり、根の先に詰まっている膿の塊や、以前の治療の跡である充填材を取り去ったり、神経を抜いたりするなどの根管等の治療を行うに当たり、ファイルやリーマを用いるのが一般的である。これ等は根管内に挿入される針部とその後部に設けられた把持部とから成り、針部はステンレススチールやニッケルチタンなどの金属素材による細長い金属板を捻り加工して成るものである。【０００３】  ガッタパーチャの除去に付いて、溶解剤による除去では、ガッタパーチャが根管に残ってしまいその後の治療に支障を来すことがある。このため一般的にはファイルによる丁寧な除去が行われている。
【考案の概要】
【考案が解決しようとする課題】
【０００４】  ファイルは歯科医が自らの指先で操りもするが、ここでは歯科用ハンドピースに装着して用いる場合を説明する。歯科用ハンドピースは筐体と、該筐体に往復動自在に設けられた歯の切削用のファイルやリーマの着脱部と、前記筐体に収められ前記着脱部にマイクロモータの高速回転を往復運動に変えて与えることによりファイルやリーマを往復動させる往復動発生部とから成るものが一般的である。このような歯科用ハンドピースに装着するファイルの規格として、針部の先端部分の直径に付いては例えば規格品の＃２５であれば１／１００の０．２５ｍｍ、ここから１６ｍｍ後方の直径はテーパーが２／１００であることから０．５７ｍｍとなる。【０００５】  当考案者は、このような形状のファイルを歯科用ハンドピースに装着して用いる場合、ファイルが高速で往復動を行う際にファイルの針部の先端部分に撓り過ぎが発生して根管壁をやする力が弱まることを見出した。先端部分が撓り過ぎてしまうと根管拡大の効率が下がったり、感染象牙質やガッタパーチャの取り残しなどの不都合が生じるのである。【０００６】  この考案の課題は、歯科用ハンドピースに装着するファイルに付いて、針部の先端部分の撓り過ぎが抑制され、根管壁への側方圧が掛かりやすくなり、根管拡大等の効率が上がり延いては感染象牙質等の取り残しが減るような、そうした根管治療用のファイルを提供することにある。根管治療がより確かに、より手早く行えることは、患者にとっても歯科医師にとっても疲労が少なく安楽なものとなり、長期に亘って安定した治療が行えることは治療費の抑制にも寄与するはずである。
【課題を解決するための手段】
【０００７】  上記課題の解決に先立ち当考案者は、ファイル先端部分の撓り過ぎを抑制するために、２／１００の規定角度を守りつつ、当初より撓り過ぎる部分を除いた短いサイズの針部を提供すれば良いと思考した。上掲例の＃２５での撓り過ぎる部分を注意深く観察してみると先端部分からおよそ３ｍｍであったことから、初めからこの部分のない先端部分の直径が０．３１ｍｍのものを提供すれば良いと言うことである。すなわち捻り加工をした時に先端部分の直径が０．３１ｍｍとなるような細長い金属板を用いれば良い。しかしながら計算上はそうであっても実際は針部の全体が撓りにくくいと言う不思議、根管を進むのに必要な撓りが得られないと言う不本意な事態が生ずるため、さらに当考案者はこの問題の解決を迫られたのである。【０００８】  上記課題はテーパー角が２度となるように捻り加工を施して成る針部に付きその先端部から３ｍｍ分を切断して新たな先端部と成したことを特徴とする、根管治療用のファイルを提供することにより達成される。例えば＃２５の針部の全長を２５ｍｍ、この内の捻り部の長さを１６ｍｍとして、先端部の直径を０．２５ｍｍ（型番＃２５）、テーパー角を２／１００としてあらかじめ製造し、或いは他所で製造したものを引き継ぎ、先端部分から３ｍｍ分を切断してしまうのである。この新しい先端部の直径はおおよそ０．３１ｍｍである。このファイルによれば、不思議なことではあるが、針部の全体として根管を進むのに必要な撓りがあるも、撓り過ぎる部分がないのである。歯科用ハンドピースに装着するには誠に打って付けのファイルである。【０００９】  こうして撓り過ぎが無くなり、根管壁を満遍なくやすることが出来るようになり、根管拡大等の効率が上がっている。【００１０】  なお上記切断部分を丸めるべく鑢を掛けたり切断部分やその周辺部をより滑らかにすべくニッケルメッキ等のメッキを施したりすることが出来る。切断前の針部にメッキが施されている場合には切断部分に同種のメッキを施しても良い。この他にもコストは幾分高くはなるが、針部にカーボンコーティングやＤＬＣ（Ｄｉａｍｏｎｄ−Ｌｉｋｅ  Ｃａｒｂｏｎ）コーティングを施して良い。ダイヤモンドライクカーボンとは、ダイヤモンドと黒鉛との中間的な物性を持つ非晶質の硬質炭素であり、コーティングによって金属表面にナノレベルの薄膜を形成することが出来る。これによれば根管を往復動するのに都合の良い低摩耗係数の表面すなわち潤滑性の高い金属表面を得ることが出来る。【００１１】  またこの考案の根管治療用のファイルは、歯科用ハンドピースによって駆動されるが、歯科用ハンドピースがこの考案のファイルを着脱出来るように構成すると良い。ファイルは歯科用ハンドピースに備え付けとされていても良いが、歯科用ハンドピースのヘッドごと洗浄するのはある意味大変なことである。これに対してのファイルを付け替えて使用することを可能にすれば、衛生的にも非常に好ましいものとなる。なおこの考案のファイルを装着して成る歯科用ハンドピースもこの考案の権利範囲内のものである。
【考案の効果】
【００１２】  この考案はあらかじめテーパー角が２度となるように捻り加工を施した針状部に付いてその先端部分から３ｍｍ分を切断して、新たな先端部としたファイルであるから、これを歯科用ハンドピースに取り付けて根管治療を行うと、ファイルの先端部分が撓り過ぎると言うことが無くなり、根管壁が満遍なくやすれて、根管拡大等の効率が上がると言う効果を奏する。
【図面の簡単な説明】
【００１３】
【図１】  実施例１の説明図である。
【図２】  実施例２の説明図である。
【図３】  実施例３の説明図である。
【図４】  実施例４の説明図である。
【図５】  実施例５の説明図である。
【考案を実施するための形態】
【００１４】  以下ではこの考案の実施例を図面に基づいて説明するが、この考案はこれ等に限定されるものではない。
【実施例１】
【００１５】  ファイル１００は指先で摘まんで操作したり歯科用ハンドピースに挿着したりするための挿着部１０１と、これにインサート成型された針部１０２とから成る。針部に付いては所要形状のニッケル・チタン合金の細長い金属板に捻り加工を行うのであるが、当初捻り部１０３の長さが１６ｍｍ、先端径が１．２５ｍｍ、テーパー角２／１００となるように捻り加工が為されて、針部１０２の全長が２５ｍｍとなるように上記金属板が設定されている。このような当初針部１０２を得た後に、先端部から３ｍｍ分を切除部１０４として切除すると、最終的には針部１０２の全長が２２ｍｍ、捻り部１０３の長さが１３ｍｍとなり、この新たな捻り部１０３に先端部１０５が形成される。なお先端部１０５の直径は０．３１ｍｍである。【００１６】  この実施例によれば針部１０２の全体として根管を進むのに必要な撓りがあるも、撓り過ぎる部分のないファイル１００を得ることが出来た。実施例２で説明するハンドピース２００に装着するには打って付けのファイル１００と成っている。
【実施例２】
【００１７】  この実施例のハンドピース２００は、図示しないチェアーユニットの電動モータの回転軸に接続されて回転駆動されるように構成されている。またこの電動モータのスイッチは図示しない足踏み式のフットスイッチである。このハンドピース２００は、支持部２０１に振動側筐体２０２が取り付けられ、振動側筐体２０２に振動筒２０４が装着されたものである。チェアーユニットの電動モータの回転軸３００の延長部分が支持部２０１を通って回転軸３００の先端部に偏心させて設けられたピン３０１が、支持部２０１の先端部に位置している。【００１８】  次に振動側筐体２０２の先端部には振動筒装着口２０３が開口されており、ここに振動筒２０４が装着されている。この振動筒２０４は振動側筐体２０２の内側にあって前後方向（図２の上下方向）に振動可能に設けられている。また振動筒２０４は後端部に設けたピン穴２０５に上記ピン３０１が挿入されている。また振動筒２０４の後端部より突出するガイドピン２０８が、振動側筐体２０２の内側に前後方向に設けられたガイド溝２０９に嵌め込まれている。【００１９】  上記振動筒２０４の後端部分には、実施例１の製造方法に成るファイル１００を挿着するための挿着口２０７が開口されており、ファイル１００をここから挿着するとその針部１０３が振動筒２０４の針通し孔２０６から抜け出して、ファイル１００の挿着部１０１の先端部が上記針通し孔２０６の内側に接触するまで押し込むことが出来るように構成されている。なお挿着口２０７にはネジ蓋２１０を捻じ込むことで、ファイル１００を固定することが出来る。従ってファイル１００の交換はこのネジ蓋２１０を着脱することによって行うことになる。【００２０】  この実施例の特徴は、ファイル１００を振動筒２０４の先端部側からではなく後端部側から着脱し得るように構成されているため、ファイル１００の装着が使い勝手が良いものとなっている点にある。なお回転軸３００のピン３０１が振動筒２０４の側壁部のピン穴２０５に横方向から嵌め込まれているために、回転軸３００の回転は振動筒２０４を前後方向に振動させるだけで、振動筒２０４をファイル１００の針部１０３周りに回転させるようには作用しない点も特徴である。但し僅かながらの回動振動が生ずることを良しとしない場合を考慮して、上述したようなガイドピン２０８とガイド溝２０９との構成を設けているのである。【００２１】  こうしてハンドピース２００に挿着したファイル１００の針部１０２に撓り過ぎが無くなり、根管壁を満遍なくやすることが出来るようになり、根管拡大等の効率も十分に上がっている。
【実施例３】
【００２２】  この実施例のハンドピース４００は、図示しないチェアーユニットの電動モータの回転軸に接続されて回転駆動されるように構成されている。またこの電動モータのスイッチは図示しない足踏み式のフットスイッチである。このハンドピース４００はその殆どの構成を実施例２のそれに倣うものであるが、回転軸５００のピン５０１が嵌め込まれる振動筒４０４の側壁部にピン溝４０５がも蹴られている点で大きく異なるものとなっている。【００２３】  このハンドピース４００は、支持部４０１に振動側筐体４０２が取り付けられ、振動側筐体４０２に振動筒４０４が装着されたものである。チェアーユニットの電動モータの回転軸５００の延長部分が支持部４０１を通って回転軸５００の先端部に偏心させて設けられたピン５０１が、支持部４０１の先端部に位置している。振動側筐体４０２の先端部には振動筒装着口４０３が開口されておりここに振動筒４０４が装着されている。この振動筒４０４は振動側筐体４０２の内側にあって、前後方向（図３の上下方向）に振動可能に設けられている。【００２４】  上記振動筒２０４の後端部分には、実施例１の製造方法に成るファイル１００を挿着するための挿着口４０７が開口されており、ファイル１００をここから挿着するとその針部１０３が振動筒４０４の針通し孔４０６から抜け出して、ファイル１００の挿着部１０１の先端部が上記針通し孔４０６の内側に接触するまで押し込むことが出来るように構成されている。なお挿着口４０７には押し込み蓋４０８を押し込むことで、ファイル１００を固定することが出来る。従ってファイル１００の交換はこの押し込み蓋４０８を引き抜いたり押し込んだりすることによって行うことになる。【００２５】  またこの実施例では、振動筒４０４の後部の外周部に３６０度に亘って、ピン５０１を挿入するためのピン穴４０５が刻設されている。このように構成した理由は後述するが、振動筒４０４にファイル１００を後側から挿着して、挿着口４０７にネジ蓋４０８を捻じ込もうとすると振動筒４０４は振動側筐体４０２に対して３６０度を超えて自由に回動してしまうため、ネジ蓋４０８を締めることが難しい。この問題の解消のために２案を提示するが、その１案は図４に示したように振動筒４０４の先端部を振動側筐体４０２の振動筒装着口４０３から突出させることである。この露出した振動筒４０４の先端部に指先を押し付けるようにすると、振動筒４０４の回転を抑えることが可能となってネジ蓋４０８を締め付けることが出来る。その２案は図示しないが、３６０度に亘って刻設したピン穴４０５の内部に突出部を設けることで、ここにピン５０１が当たって振動筒４０４がこれ以上は回転出来なくなる。なおこれと同じようなことは、ピン穴を例えば３５０度などと言うように３６０度未満に刻設することである。【００２６】  このようにこの実施例では動筒４０４を自由回動し得るように構成している。自由回動とは、駆動力によって強制的に回転・回動させることではなく、ただ固定しないようにしておいて、左右のどちら方向へも外力に抗うことなく自由に動けることを言う。このように構成したことでファイル１００の往復運動に対する根管からの抵抗があっても、或いは根管に��い込みそうになることがあったとしても、それ等を避けることが出来るために、針部１０２に殊には捻り部１０３に捩じれや曲がりや折れ等が起こりにくく、円滑に往復運動を継続することが出来るようになる。
【実施例４】
【００２７】  ファイル１０６は指先で摘まんで操作したり歯科用ハンドピースに挿着したりするための挿着部１０７と、これにインサート成型された針部１０８とから成る。針部に付いては所要形状のニッケル・チタン合金の細長い金属板に捻り加工を行うのであるが、当初捻り部１０９の長さが１６ｍｍ、先端径が１．２５ｍｍ、テーパー角が２／１００となるように捻り加工が為されて、針部１０８の全長が２５ｍｍとなるように上記金属板が設定されている。このような当初針部１０８を得た後に先端部から３ｍｍ分を切除部１１０として切除すると、最終的には針部１０８の全長が２２ｍｍ、捻り部１０９の長さが１３ｍｍとなり、この新たな捻り部１０９の先端部分を丸めるべく鑢掛けして丸め部１１１を形成した。なおこの部位の直径は０．３１ｍｍである。【００２８】  この実施例によれば針部１０８の全体として根管を進むのに必要な撓りがあるも、撓り過ぎる部分のないファイル１０６を得ることが出来た。切除部１１０を切除した跡は丸め部１１１となり角が取れている。
【実施例５】
【００２９】  ファイル１１２は指先で摘まんで操作したり歯科用ハンドピースに挿着したりするための挿着部１１３と、これにインサート成型された針部１１４とから成る。針部に付いては所要形状のニッケル・チタン合金の細長い金属板に捻り加工を行うのである。当初は捻り部１１５の長さが１６ｍｍ、先端径が１．２５ｍｍ、テーパー角が２／１００となるように捻り加工が為されて、針部１１４の全長が２５ｍｍとなるように上記金属板が設定されている。このような当初針部１１４を得た後に先端部から３ｍｍ分を切除部１１６として切除すると、最終的に針部１１４の全長が２２ｍｍ、捻り部１１５の長さが１３ｍｍとなるので、この新たな捻り部１１５の先端部にＤＬＣ（Ｄｉａｍｏｎｄ−Ｌｉｋｅ  Ｃａｒｂｏｎ）コーティングを施して成る鍍金部１１７を形成した。【００３０】  この実施例によれば針部１１４の全体として根管を進むのに必要な撓りがあるも、撓り過ぎる部分のないファイル１１２を得ることが出来た。切除部１１６を切除した跡は鍍金部１１７となっており、低摩耗係数の表面すなわち潤滑性の高い金属表面となっている。
【産業上の利用可能性】
【００３１】  この考案のファイルを歯科用ハンドピースに取り付けて根管治療を行うと、針部の先端部分の撓り過ぎが抑制され、根管壁への側方圧が掛かりやすくなり、根管拡大等の効率が上がり、延いては感染象牙質等の取り残しが減ると言う効果を奏する。これによって歯科医師の負担を減らし治療の技術向上させ、以て産業の発達に寄与することが出来るようになった。なおこの考案は上述した実施例の各部寸法に限定されるものではない。
【符号の説明】
【００３２】  １００：ファイル            １０１：挿着部        １０２：針部
１０３：捻り部              １０４：切除部        １０５：先端部
１０６：ファイル            １０７：挿着部        １０８：針部
１０９：捻り部              １１０：切除部        １１１：丸め部
１１２：ファイル            １１３：挿着部        １１４：針部
１１５：捻り部              １１６：切除部        １１７：鍍金部
２００：ハンドピース        ２０１：支持部        ２０２：振動側筐体
２０３：振動筒装着口        ２０４：振動筒        ２０５：ピン穴
２０６：針通し孔            ２０７：挿着口        ２０８：ガイドピン
２０９：ガイド溝            ２１０：ネジ蓋
３００：回転軸              ３０１：ピン
４００：ハンドピース        ４０１：支持部        ４０２：振動側筐体
４０３：振動筒装着口        ４０４：振動筒        ４０５：ピン溝
４０６：針通し孔            ４０７：挿着口        ４０８：押し込み蓋
５００：回転軸              ５０１：ピン
【図１】
0003235293.tif 000003
【図２】
0003235293.tif 000004
【図３】
0003235293.tif 000005
【図４】
0003235293.tif 000006
【図５】
0003235293.tif 000007